(57)【特許請求の範囲】
【請求項１】
使用端側に奥行方向へ凹んだ凹部を有する天板を有するデスク本体と、この天板の凹部に対応して前縁を奥行方向に退避させた退避部を有する補助天板を前記天板の上方に支持させるための支持部材とを具備してなり、
当該支持部材を、支持部材が有するベース要素の外側に支持部材の幅方向両端をなす支柱を取り付け当該支柱間に前記補助天板を取り付けたものとし、
当該支持部材のベース要素を前記デスク本体の脚ベースの内側に添接させることにより、前記補助天板の退避部を天板の凹部の奥行方向に位置させるとともに、前記天板の幅寸法と前記支持部材の幅寸法とを合致させてなることを特徴とするデスク。
【請求項２】
前記補助天板が、天板の両端近傍にわたって連続して設けられるものである請求項１記載のデスク。
【請求項３】
使用端側に奥行方向へ凹んだ凹部を有する天板を有するデスク本体と、前記天板の凹部とは天板の幅方向に異ならせた位置で前縁を奥行方向に退避させた退避部を有する補助天板を前記天板の上方に支持させるための支持部材とを具備してなり、
当該支持部材を、支持部材が有するベース要素の外側に支持部材の幅方向両端をなす支柱を取り付け当該支柱間に前記補助天板を取り付けたものとし、
当該支持部材のベース要素を前記デスク本体の脚ベースの内側に添接させることにより、前記補助天板の退避部を天板の凹部とは天板の幅方向に異ならせて位置させるとともに、前記天板の幅寸法と前記支持部材の幅寸法とを合致させてなることを特徴とするデスク。
【請求項４】
前記補助天板を、天板上で使用されるディスプレイの高さ寸法よりも低い位置に支持させた請求項１、２、３の何れかに記載のデスク。
【発明の詳細な説明】
【０００１】
【発明の属する技術分野】
本発明は、補助天板を有するデスクに関するものであり、より詳しくは、ディスプレイなどを最適な位置に設けられるデスクに関するものである。
【０００２】
【従来の技術】
現在、オフィスで使用されるデスクなどには、天板に湾曲部を備えたものが存在している。このようなデスクは、天板の使用端側を奥行方向へ湾曲させた形状を有するもので、この湾曲部に位置して作業を行う際に、その着座位置を中心とする半径腕長さ分の作業領域を可能な限り広く確保して、作業の効率化を図ろうとしたものである。
【０００３】
【発明が解決しようとする課題】
ところで、近年、パーソナルコンピュータなどの普及に伴って、デスク上の作業領域を確保するために作業具や資料などを載せるための補助天板が必要とされてきている。このような補助天板は、着座した状態でその補助天板上に載せられた作業具や資料などを取れるようにしたものであるが、このような湾曲部を有するデスクに補助天板を取り付ける場合、次のような問題を生ずる。すなわち、このような湾曲部に位置してパーソナルコンピュータのディスプレイを奥行方向に設置すると、そのディスプレイと補助天板とが干渉してしまい、ディスプレイと着座者の距離を確保できなくなる。一方、かかる不具合を解消するために、補助天板をディスプレイよりも高い位置に取り付けるようにすることも考えられるが、このようにすると、着座した状態で補助天板上に載せられた作業具や資料などを容易に取ることができず、作業の迅速性を阻害してしまうことになる。
【０００４】
そこで、本発明は上記不具合に着目してなされたもので、天板に凹部を設けるなどして作業領域を大きく確保できるようにデスクにおいて、そのデスク上で使用されるディスプレイなどを最適な位置に設置できるようなものを提供することを目的とするものである。
【０００５】
【課題を解決するための手段】
すなわち、本発明のデスクは、上記課題を解決するために、使用端側に奥行方向へ凹んだ凹部を有する天板を有するデスク本体と、この天板の凹部に対応して前縁を奥行方向に退避させた退避部を有する補助天板を前記天板の上方に支持させるための支持部材とを具備してなり、当該支持部材を、支持部材が有するベース要素の外側に支持部材の幅方向両端をなす支柱を取り付け当該支柱間に前記補助天板を取り付けたものとし、当該支持部材のベース要素を前記デスク本体の脚ベースの内側に添接させることにより、前記補助天板の退避部を天板の凹部の奥行方向に位置させるとともに、前記天板の幅寸法と前記支持部材の幅寸法とを合致させてなるように構成したものである。
【０００６】
このような構成であれば、奥行方向の浅い凹部に位置してパーソナルコンピュータなどを使用する場合であっても、そのディスプレイを奥方に配置することができ、ディスプレイと着座者との距離を確保することができるようになる。
【０００７】
また、この補助天板の好ましい一態様としては、天板の両端近傍にわたって連続して設けるように構成する。このように構成すれば、補助天板の両端近傍を支持するだけで補助天板を取り付けることができ、補助天板の中央部分下方に支柱などを設ける必要がなくなって有効な作業領域を確保することが可能になる。
【０００８】
また、補助天板の別の態様としては、前記補助天板の退避部と、天板の凹部とを、それぞれ天板の幅方向に位置を異ならせて設ける。このように構成にすれば、凹部奥行方向に補助天板の退避部を存在させないようにすることにより、ディスプレイを更に凹部から遠くに配置させることができるようになる。
【０００９】
更に、このような補助天板を、天板上で使用されるディスプレイの高さ寸法よりも低い位置に支持させる。このようにすれば、着座した状態で、補助天板上に載せられた作業具や資料などを取ることができ、ディスプレイを奥行方向に配置することができるとともに補助天板の使い勝手も向上させることができるようになる。
【００１０】
【発明の実施の形態】
以下、本発明の一実施形態を、図面を参照して説明する。図１はデスク本体１に対して補助天板３を設けた状態を示したものであり、図５および図６は、そのデスクＡの使用状態を示したものである。また、図２、図３は補助天板３を支持するための支持部材２を示したものであり、また、図４はこの支持部材２に取り付けられる補助天板３を示したものである。
【００１１】
このデスクＡは、天板１４の使用端１５側に湾曲した凹部１５ａを有するデスク本体１と、前縁３０を奥行方向に湾曲させた退避部３１を有する補助天板３とを有し、この補助天板３の退避部３１をデスク本体１の凹部１５ａの奥行方向に位置させて、平面視における天板１４の凹部１５ａ奥行方向を大きく使用できるようにしたものである。
【００１２】
このデスク本体１は、左右両側端１７に脚部１０を設けたものであり、その脚部１０を、前後方向に延びる脚ベース１１と、この脚ベース１１の中央部分に起立して取り付けた脚柱１２と、この脚柱１２の上端部分を天板１４の裏面に取り付けるための取付部１３とによって構成し、その取付部１３を天板１４の裏面に適宜取り付けて天板１４を支持させている。
【００１３】
この天板１４は、反使用端１６および両側端１７を直線状に構成する一方、使用端１５の略中央部分を側端１７と平行に反使用端１６側（奥行方向）に湾曲させて凹部１５ａを設け、また、これに対応して、この凹部１５ａに対して相対的に前方へ突出した凸部１５ｂを設けて使用端１５を構成している。そして、この凹部１５ａを使用位置とし、その両側に突出した凸部１５ｂの上面部分を拡張面１８として、使用位置である凹部１５ａを中心とした半径腕長さ分の作業領域を可能な限り広く確保できるようにしている。
【００１４】
一方、このデスク本体１の反使用端１６側に配置される支持部材２は、デスク本体１に対して独立に設けられるものであり、床面に接地する接地部を備えた一対の脚ベース２０と、この脚ベース２０上に起立して設けた支柱２３と、この支柱２３の上端部近傍および下端部近傍をそれぞれ架け渡した上枠材２２および下枠材２１とによって枠構造体本体２５を形成し、この枠構造体本体２５に、適宜パネル板２４や補助天板３などを取り付けられるようにしている。
【００１５】
この支持部材２の脚ベース２０は、前後方向に延びるベース要素２０ａをデスク本体１の脚ベース１１の内側に位置させてデスクＡの脚ベース１１との干渉を防止するとともに、隣接する方向に同種のデスクＡなどを密接させる際にその支持部材２のベース要素２０ａが邪魔にならないようにしている。また、この支持部材２におけるベース要素２０ａの中央部外側には、平面視においてデスクＡの脚柱１２の後方に支柱２３を取り付けられるようにしており、天板１４の左右幅寸法と支持部材２の幅寸法を合致させるようにしている。
【００１６】
この脚ベース２０に取り付けられる支柱２３は、図３に示すように、上下方向に延びる横断面視コ字型をなすチャネル状の内フレーム要素２３０と、この内フレーム要素２３０の前後両壁を外側から抱く姿勢で配置される外フレーム要素２３１とから構成される。内フレーム要素２３０の前壁２３０ｆ、後壁２３０ｂ、および内側端部を前後方向に連結する外壁２３０ｉには、それぞれにフック孔２３２、２３３を形成して、パネル板２４や補助天板３などを取り付けるためのブラケット４を引っ掛けられるようにしている。一方、外フレーム要素２３１は、平面視楕円形状をなす中空部材によって構成しており、内側壁の中央部に、前記内フレーム要素２３０の前後両壁を挟み込み且つフック孔２３２の大半を覆ってそのスリット幅を狭くするようにした溝部２３１ａを形成し、薄板状に構成されたブラケット４のフック爪４０（図４参照）をがたつきなく保持できるようにしている。そして、この溝部２３１ａの中央部には、内フレーム要素２３０側へ突出させた突条部２３１ｂを形成し、この突条部２３１ｂを内フレーム要素２３０の側壁内面側に付き当てた状態で、ビスによって上下複数箇所で固定するようにしている。
【００１７】
この支柱２３の上端部分に取り付けられる上枠材２２は、内フレーム要素２３０の上端部に内向きに突出させて形成した図示しない突起をそれぞれ両端部に挿入させた姿勢で、それら支柱２３の上端部間に架け渡して設けられるものである。この上枠材２２とそれに挿入される突起とは、図示しないボルトなどにより固定される。
【００１８】
このようにして枠組みされた枠構造体本体２５には、内フレーム要素２３０に取り付けられる図示しないチャネル状のブラケットを介してパネル板２４が取り付けられる。このパネル板２４は、デスク本体１を対向配置させた場合に、対向側の視線を遮るためのものであり、内フレーム要素２３０のフック孔２３３に取り付けられたチャネル状のブラケットに対して取り付けられるものである。
【００１９】
そして、このように構成されたデスク本体１および支持部材２に対して、この実施形態においては、前縁３０を奥行方向に向かって湾曲させた補助天板３を取り付けるようにしている。
【００２０】
この補助天板３は、図４などに示すように、ブラケット４を介して内フレーム要素２３０における前壁２３０ｆのフック孔２３２に着脱可能に取り付けられるものである。このブラケット４は、薄板状の金属板をＬ字状に折り曲げて構成したものであり、Ｌ字状の水平部４１に補助天板３の側端３３を載せて下側からビス止めできるように孔部４１ａを設けるとともに、この水平部４１から起立する起立壁４２の後端部分にフック爪４０を設けて、内フレーム要素２３０における前壁２３０ｆのフック孔２３２に引っ掛けられるようにしている。一方、補助天板３は、支持部材２における内フレーム要素２３０間に跨る横幅寸法を有するもので、その中央部分における前縁３０を奥行方向に湾曲させて待避部３１を形成している。具体的には、この補助天板３を支持部材２を介して天板１４の上方に支持させた際に、天板１４の使用端１５に形成された凹部１５ａの奥行方向に補助天板３の待避部３１を位置させ、平面視において天板１４の使用端１５と補助天板３の前縁３０との距離、詳しくは、使用端１５から側端１７と平行な奥行方向距離、もしくは、使用端１５における接線と直交する奥行方向の距離を常に一定距離以上あけるようにしている。そして、この補助天板３は、例えば、１４インチ以上のディスプレイ５を待避部３１の前方に配置した場合であっても、その補助天板３をディスプレイ５の上端部５０よりも下方（例えば、天板１４の上方略１５センチの位置）に設けるようにしており、これによって、着座状態であっても補助天板３の上面３４を視認できるようにして、補助天板３上に載せられた作業具などを容易に取れるようにしている。
【００２１】
なお、この補助天板３の形状は、別の天板形状を有するデスクＢに合わせて変更される。例えば、別の実施形態である図７および図８に示すように、天板１４Ｂに設けた凹部１５ａＢが左右中心位置よりも一方側に変位した位置に形成されている場合は、この天板１４Ｂの凹部１５ａＢに合わせて奥行方向へ湾曲した待避部３１Ｂを設けるように補助天板３Ｂを構成し、上記支持部材２を介して補助天板３Ｂを天板１４Ｂ上に位置させた場合、天板１４Ｂの使用端１５Ｂと補助天板３Ｂの前縁３０Ｂとの距離、例えば、使用端１５Ｂから側端１７Ｂと平行な奥行方向距離、もしくは、使用端１５Ｂにおける接線と直交する奥行方向の距離を常に一定距離以上あける。
【００２２】
また、別の実施形態において、補助天板３Ｃは、可動間仕切壁のコーナ部分などに設けられるデスクＣにも適用できる。このようなデスクＣは、例えば、図９や図１０に示すように、ＣＡＤ用として使用される比較的大型のＣＲＴディスプレイを天板１４Ｃのコーナ部分に設置できるようにしたものであり、使用端１５Ｃ側の凹部１５ａＣをそのコーナ部分に向けて設けるようにしたものである。そして、このようなデスクＣに補助天板３Ｃを設ける場合は、凹部１５ａＣの使用方向を避けるように奥行方向に湾曲した待避部３１Ｃを設けて支柱３６Ｃで支持し、天板１４Ｃの使用端１５Ｃと補助天板３Ｃの前縁３０Ｃとの使用方向の距離、例えば、使用端１５Ｃにおける接線と直交する奥行方向の距離を常に一定距離以上あけるようにして、コーナ部分にＣＲＴディスプレイなどの比較的大型のディスプレイ５を置けるようにしている。
【００２３】
更に、別の実施形態において、補助天板は、その両端を支持部材２に設けられた左右の支柱２３に支持させるような連続形状にするだけでなく、図１１や図１２に示すように、補助天板３Ｄを左右に分離して、それぞれの補助天板３Ｄを天板１４の凹部１５ａを避けるように設けるようにしても良い。この場合、補助天板３Ｄの一側端３３Ｄを支持部材２の内フレーム要素２３０に取り付けるとともに、他側端を天板１の凹部１５ａに対応させた湾曲する待避部３１Ｄを設け、この待避部３１Ｄ側を支柱３６Ｄによって天板１４上に支持させるようにしても良い。そして、天板１４の凹部１５ａにおける奥行方向に補助天板３Ｄを存在させることなくディスプレイ５を可能な限り奥方へ配置できるようにする。
【００２４】
そして、このように天板１４、１４Ｂ、１４Ｃの凹部１５ａ、１５ａＢ、１５ａＣと補助天板３、３Ｂ、３Ｃ、３Ｄの退避部３１、３１Ｂ、３１Ｃ、３１Ｄとを対応させたデスクＡ、Ｂ、Ｃ、ＤにＣＲＴやＬＣＤなどのディスプレイ５を設置する場合、補助天板３、３Ｂ、３Ｃ、３Ｄの湾曲した退避部３１、３１Ｂ、３１Ｃ、３１Ｄにディスプレイ５を設置するとともに、天板１４、１４Ｂ、１４Ｃの凹部１５ａ、１５ａＢ、１５ａＣの位置に着座して、ディスプレイ５と着座者の距離を確保するようにする。
【００２５】
以上のような実施形態によれば、使用端１５、１５Ｂ、１５Ｃ側に奥行方向へ凹んだ凹部１５ａ、１５ａＢ、１５ａＣを有する天板１４、１４Ｂ、１４Ｃと、この天板１４、１４Ｂ、１４Ｃの凹部１５ａ、１５ａＢ、１５ａＣに対応して前縁３０、３０Ｂ、３０Ｃ、３０Ｄを奥行方向に待避させた待避部３１、３１Ｂ、３１Ｃ、３１Ｄを有する補助天板３、３Ｂ、３Ｃ、３Ｄと、この補助天板３、３Ｂ、３Ｃ、３Ｄを天板１４、１４Ｂ、１４Ｃの上方に支持させるための支持部材２と具備してなるものにおいて、補助天板３、３Ｂ、３Ｃ、３Ｄの待避部３１、３１Ｂ、３１Ｃ、３１Ｄを天板１４、１４Ｂ、１４Ｃのそれぞれの凹部１５ａ、１５ａＢ、１５ａＣの奥行方向に位置させるようにしたので、凹部１５ａ、１５ａＢ、１５ａＣの前方の着座してディスプレイ５などを使用する場合であっても、そのディスプレイ５と着座者の距離を確保することができるようになる。
【００２６】
また、図１や、図７、図９に示す実施形態によれば、天板１４、１４Ｂ、１４Ｃの横幅略全域にわたって一枚の補助天板３、３Ｂ、３Ｃを連続して設けるようにしたので、両側端３３を支持部材２の支柱２３に支持させるだけでその途中に別途新たな支柱３６Ｃ、３６Ｄなどを設ける必要がなくなり、補助天板３、３Ｂ、３Ｃの下方領域を有効に活用することができるようになる。
【００２７】
また、図１１に示す実施形態によれば、天板１４の凹部１５ａ奥行方向から待避するように補助天板３Ｄを分離して設けるようにしたので、ディスプレイ５を可能な限り反使用端１６側に配置することができ、着座者とディスプレイ５の距離をより大きく確保することができるようになる。
【００２８】
更に、これらの実施形態において、ディスプレイ５の高さよりも下方のフック孔２３２にブラケット４を引っ掛けて補助天板３、３Ｂ、３Ｃ、３Ｄを支持させるようにしたので、ディスプレイ５を奥行方向に配置させることができるとともに、低い位置に補助天板３、３Ｂ、３Ｃ、３Ｄを設けることによって、着座状態を維持したまま補助天板３、３Ｂ、３Ｃ、３Ｄ上に載せられた作業具や資料などを取ることができるようになる。
【００２９】
なお、本発明は上記実施の形態に限定されることなく、種々変更することができる。
【００３０】
すなわち、上記実施の形態においては、天板１４、１４Ｂ、１４Ｃの凹部１５ａ、１５ａＢ、１５ａＣや補助天板３、３Ｂ、３Ｃ、３Ｄの待避部３１、３１Ｂ、３１Ｃ、３１Ｄを湾曲させた形状にしているが、これに限らず、直線状のＶ字状に天板の凹部や補助天板の待避部を形成することもできる。
【００３１】
また、上記実施の形態においては、支持部材２とデスク本体１、１Ｂ、１Ｃ、とを別体に構成したが、デスク本体１、１Ｂ、１Ｃの反使用端１６、１６Ｂ、１６Ｃ側に取り付けられたデスクトップパネルにこのような補助天板３、３Ｂ、３Ｃ、３Ｄを設けるようにしても良い。
【００３２】
【発明の効果】
本発明では、使用端側に奥行方向へ凹んだ凹部を有する天板と、この天板の凹部に対応して前縁を奥行方向に退避させた退避部を有する補助天板と、前記補助天板を天板の上方に支持させるための支持部材とを具備し、前記補助天板の退避部を天板の凹部の奥行方向に位置させて補助天板を支持部材に取り付けるように構成したので、凹部に位置してディスプレイなどを使用する場合であっても、そのディスプレイを奥方に配置することができ、ディスプレイと着座者との距離を確保することができるようになる。
【図面の簡単な説明】
【図１】本発明の一実施の形態を示すデスクの斜視図。
【図２】同形態の支持部材を示す斜視図。
【図３】図２におけるＩ−Ｉ断面を示す斜視図。
【図４】同形態の補助天板およびブラケットを示す分解斜視図。
【図５】同形態の使用状態を示すデスクの平面図。
【図６】同形態の使用状態を示すデスクの側面図。
【図７】第二実施形態のデスクを示す斜視図。
【図８】同形態のデスクの使用状態を示す平面図。
【図９】第三実施形態のデスクを示す斜視図。
【図１０】同形態のデスクの使用状態を示す平面図。
【図１１】第四実施形態のデスクを示す斜視図。
【図１２】同形態のデスクの使用状態を示す平面図。
【符号の説明】
Ａ、Ｂ、Ｃ・・・デスク
２・・・支持部材
３、３Ｂ、３Ｃ、３Ｄ・・・補助天板
５・・・ディスプレイ
１４、１４Ｂ、１４Ｃ・・・天板
１５、１５Ｂ、１５Ｃ・・・使用端
１５ａ、１５ａＢ、１５ａＣ・・・凹部
１６、１６Ｂ、１６Ｃ・・・反使用端
３０、３０Ｂ、３０Ｃ、３０Ｄ・・・前縁
３１、３１Ｂ、３１Ｃ、３１Ｄ・・・退避部
【図１】
0004289808.tif 000002
【図２】
0004289808.tif 000003
【図３】
0004289808.tif 000004
【図４】
0004289808.tif 000005
【図５】
0004289808.tif 000006
【図６】
0004289808.tif 000007
【図７】
0004289808.tif 000008
【図８】
0004289808.tif 000009
【図９】
0004289808.tif 000010
【図１０】
0004289808.tif 000011
【図１１】
0004289808.tif 000012
【図１２】
0004289808.tif 000013